(57)【要約】【課題】  被験者の涙液量を、被験者に苦痛を与えずに迅速に正確に測定する。【解決手段】  細長い吸収部材２を含んでなり、吸収部材２の長さ方向にわたって溝４が施された涙液メニスカス検査用具１を提供する。【選択図】        図１
2005253700.tif 000002
【特許請求の範囲】
【請求項１】
細長い吸収部材を含んでなり、該吸収部材自体にその長さ方向にわたって溝が施された涙液メニスカス検査用具。
【請求項２】
細長い吸収部材を含んでなり、該吸収部材の両側部に長さ方向にわたってマスキングが施された涙液メニスカス検査用具。
【請求項３】
前記吸収部材が親水性を有する材料により形成されている請求項１または２に記載の涙液メニスカス検査用具。
【請求項４】
前記吸収部材が疎水性を有する材料により形成されている部材をさらに含む請求項３に記載の涙液メニスカス検査用具。
【請求項５】
前記吸収部材が、植物性繊維もしくは動物性繊維、レーヨン、アセテート、ニトロセルロース、合成樹脂、ポリエーテルスルホン、ポリスルホン、ナイロン、ナイロン６６、ポリビニリデンフロライド、ポリプロピレン、ビニルもしくはアクリル共重合体、グラスファイバ、セルロースのいずれかを少なくとも含むものである請求項１から４のいずれかに記載の涙液メニスカス検査用具。
【請求項６】
前記吸収部材の前記先端部付近に前記先端からある距離をおいて色素が置かれている請求項１から５のいずれかに記載の涙液メニスカス検査用具。
【請求項７】
前記吸収部材の先端部が丸くなっていることを特徴とする請求項１から６のいずれかに記載の涙液メニスカス検査用具。
【請求項８】
前記吸収部材の少なくとも１つの面に防水性フィルムが設けられており、前記吸収部材の先端部の一部が、前記防水性フィルムから露出している請求項１から７のいずれかに記載の涙液メニスカス検査用具。
【請求項９】
前記吸収部材の先端部まで前記マスキングが施されていることを特徴とする請求項８に記載の涙液メニスカス検査用具。
【請求項１０】
前記吸収部材の先端部において、前記マスキングの幅がその先端に向かって狭くなっていることを特徴とする請求項９に記載の涙液メニスカス検査用具。
【請求項１１】
前記吸収部材の先端部に幅方向の折り目があることを特徴とする請求項１から１０のいずれかに記載の涙液メニスカス検査用具。
【発明の詳細な説明】
【技術分野】
【０００１】
本発明は、被験者の涙液滲出量を判定するための涙液メニスカス検査用具に関する。
【背景技術】
【０００２】
近年、涙液の分泌量が少ないドライアイ（眼乾燥症）の人が増加している。ドライアイは、涙液の質的量的な異常により、角結膜に障害がおこる疾患であり、代表的なものとして涙液分泌減少症がある。そして、このドライアイによって目の不快感、充血、炎症等が起こる。ドライアイが悪化すると、角膜が傷つけられて視力が低下する場合がありうる。
【０００３】
ここで、涙液は、目の表面を潤して角膜を保護して栄養補給を行い、異物を洗い流す等の機能を有している。そのため、このような涙液の量を簡便に検査できる検査用具が求められている。
【０００４】
従来より、涙液量を測定する方法として５ｍｍ程度の幅の濾紙片の先端を下眼瞼の内側と眼球との間に係止させ、涙液の浸透長を測定するシルマー法が知られている。しかし、シルマー試験紙を用いる場合には、眼瞼により試験紙が角膜に押し付けられることにより痛みを伴うため、点眼麻酔をする必要がある。また、シルマー試験紙を下眼瞼に接触させる刺激によって涙液の分泌が増加することもあるので、正確な測定が難しく、更に測定時間が５分間と長くて被験者への負担が大きい。また、時には、眼表面に障害を与える例もある。
【０００５】
そのため、シルマー試験紙の代わりに、滅菌した綿糸を使用する方法が、以下の特許文献１に記載されている。この特許文献１の段落番号００１７および図７には、綿糸の一端部をそのまま被検査者の下眼瞼の内側と眼球との間に係止し、台紙側を粘着テープ等で被検査者の頬等に固定して使用する態様が記載されている。
【０００６】
しかしながら、上記の特許文献１に示される態様では、綿糸が涙液を吸収する速度は、綿糸固有の素材に性質による吸収速度に制限されることになる。そのため、綿糸固有の吸収速度を超えて、測定時間の短縮化を図ることは難しい。
【０００７】
また別の検査方法としては、涙液層破壊時間測定法（ＢＵＴ測定）がある。この方法は、フルオレセイン色素で涙を着色し、目を開いてその涙がどれくらいの時間で乾くかを測定するものである。そして、このときの乾燥時間が１０秒以下だとドライアイの可能性があるといわれている。さらに別の方法としては、涙のクリアランステストがある。この方法は、５％のフルオレセイン色素液を片眼づつ結膜嚢内に点眼し、５分後にシルメル試験紙にて、何倍に薄まったかを調べるものである。しかしながら、涙液層破壊時間測定法（ＢＵＴ測定）やクリアランステスト等の色素を用いる方法では、特に涙液量が少ない被験者にとっては色素が異物として残留するために、角膜に悪影響を及ぼす場合がありうる。
【０００８】
また、近年、下眼瞼と眼球との間にできる涙液のメニスカスにある涙液量と病理的症状との間の関係が注目されており、このメニスカス中の涙液量の測定が重視されつつある。しかし、このメニスカス中の涙液の量はせいぜい５μｌ3程度であって少なく、測定が困難であるという問題がある。
現在利用できる高価な装置を用いたいずれの検査方法においても、医師が診断する際、スリット（細瞭灯顕微鏡）にて、涙液及び眼表面を観察しながら測定を行うもので、その場で、短時間に簡単に手でティアメニスカスの定量測定ができる検査用具は無かった。
【特許文献１】特許第３２５４３１１号公報
【発明の開示】
【発明が解決しようとする課題】
【０００９】
本発明は、涙液量の少ないドライアイの被験者等に対しても、被験者への負担が少なく安全に涙液メニスカス涙液量および油脂成分量の測定ができるようにするための検査手段を提供する。
【課題を解決するための手段】
【００１０】
本発明は、(1)医師がその場で、５秒間と短時間に簡便にティアメニスカスを定量測定できる。(2)細瞭灯顕微鏡で涙液及び眼表面を観察しながら検査できる。(3)被験者には、測定時間が５秒と短時間で負担が軽減され、しかも、眼表面に障害を与えない等を考慮したものであり、簡便に被験者の涙液メニスカスを測定するための涙液メニスカス検査用具（ストリップ  ティアメニスコメトリー（Strip Tear Meniscometry））を提供する。
具体的には、細長い吸収部材を含んでなり、該吸収部材自体がその長さ方向にわたって溝が施された涙液メニスカス検査用具を提供する。また、細長い吸収部材を含んでなり、該吸収部材の両側部に長さ方向にわたってマスキング部材が施された涙液メニスカス検査用具も提供する。
ここで、前記吸収部材が前記吸収部材が親水性を有する材料により形成されている態様や、前記吸収部材が疎水性を有する材料により形成されている部材をさらに含む態様や、前記吸収部材が、植物性繊維もしくは動物性繊維、レーヨン、アセテート、ニトロセルロース、合成樹脂、ポリエーテルスルホン、ポリスルホン、ナイロン、ナイロン６６、ポリビニリデンフロライド、ポリプロピレン、ビニルもしくはアクリル共重合体、グラスファイバ、セルロースのいずれかを少なくとも含むものである態様や、前記吸収部材の前記先端部付近に前記先端からある距離をおいて色素が置かれている態様や、前記吸収部材の先端部が丸くなっていることを特徴とする態様や、前記吸収部材の少なくとも１つの面に防水性フィルムが設けられており、前記吸収部材の先端部の一部が、前記防水性フィルムから露出している態様であることが好ましい。ここで、前記吸収部材の先端部まで前記マスキングが施されている態様や、前記吸収部材の先端部において、前記マスキングの幅がその先端に向かって狭くなっている態様であることが好ましい。
さらに前記吸収部材の先端部に幅方向の折り目があることがより好ましい。
【００１１】
ここで、吸収部材としては、水性の涙液量の測定のために親水性の各種の紙または膜を用いることができるが、例えば、濾過用メンブレンまたはクロマト用メンブレンがしなやかで眼に刺激を与えることが少ないうえに湿潤速度が速く、一定の湿潤速度を有するものであるため好ましい。このようなメンブレンは液の吸収と拡散を助けるよう多孔質体になっており、体積の９割程度が空隙になっているものである。さらに、上記の吸収部材の素材として疎水性の材料を用いることにより、マイボーム腺から分泌される油脂成分の量を測定することができる。また、被験者の目に触れる先端部は不要な刺激を目に与えないように丸型（半円状あるいは楕円状等の角のない形状）であることが好ましい。吸収部材の寸法は、保持しやすいように、幅１〜５ｍｍ、厚さ１ｍｍ以下、長さ５〜７０ｍｍ程度で長さ方向に目盛が付されているものが好ましい。また、前記色素は、例えば、青色１号等の色素である。
さらに、前記マスキングを施すことは、インキ接着剤やコーティング剤等を用いるか、インクジェットドット塗布、シルクスクリーン印刷やスプレー塗布や転写法等を用いて、前記吸収部材の孔を埋めることを含みうる。他には、熱溶融によってメンブレンの微小な孔穴を消失させる方法によってもマスクキングを形成することができる。
【発明の効果】
【００１２】
吸収部材の吸収速度に加え、吸収部材に設けられた溝により毛細管現象による涙液の吸引効果も生じるため、あるいは樹脂加工により涙液の流れの幅が狭められているので、迅速で正確に涙液の量を判断することができるとともに、被験者の苦痛を低減することができる。
なお、上記の涙液メニスカス検査用具は、涙液メニスカス検査用具の吸収部材に溝やマスキング部材を設けたり、吸収部材の少なくとも１つの表面に前記防水性フィルムを設けたりすることによって、涙液メニスカス検査用具の剛性を高めることができるので、涙液を検査する際に曲がったり折れたりせずに検査がしやすくなるという効果も備えている。また、防水フィルムに目盛線を施してもよい（図は防水フィルムに目盛印刷をした例である）。
【発明を実施するための形態】
【００１３】
以下、本発明の涙液メニスカス検査用具の具体的な実施態様を図面を参照しながら説明する。まず、本発明の第１の実施態様に係る涙液メニスカス検査用具を図１に示す。ここで、図１（ａ）は、その先端部が半円形状に加工され、被験者の下眼瞼に接して涙液を吸収する吸収部材２であって、その先端部から若干離れた箇所に色素が添加された色素添加部３と、吸収部材２の先端部からの涙液が吸収部材２に浸透する方向に向かって設けられた溝４とを有する吸収部材２を含む、使用前の涙液メニスカス検査用具１の状態を示している。ここで、溝４は、例えば、吸収材料２をプレス加工することによって形成することができる。また、図１（ａ）の涙液メニスカス検査用具１を線Ａ−Ａで切断したときの断面図を図２に示している。図２に示すように、ここでは、この溝４の形状は半円形であるが、これに限らず、例えば、矩形であってもよい。また、涙液メニスカス検査用具１の先端を被験者の眼に容易に接し、折り目の緩衝作用によって、目への接触刺激を緩和することができるようにするために、この涙液メニスカス検査用具１には折り目７が設けられている。
なお、以下では折り目７を設けた場合について説明しているが、これに限らず、例えば、折り目７がない場合や、涙液メニスカス検査用具１の吸収部材２（またはその先端部付近）を、プレス加工等により湾曲させたものであってもよい。この場合には、涙液メニスカス検査用具１の先端部が折り目の部分で取れてしまうことを防止することができる。
【００１４】
このようにすると、涙液は、まず、吸収部材２に吸収され、次いで、吸収部材２にその長さ方向に設けられた溝４に沿って伝わってゆく。このとき、プレス加工により形成された溝４では毛細管現象により、より多くの涙液が集まって、検査紙の後端へと伝わってゆく。この涙液の溝４への集中があるので、微小量の涙液を比較的に容易に測定することができる。また、短時間の測定で済むために、被験者の苦痛も低減されることになる。
【００１５】
また、図１（ｂ）および図１（ｃ）は、図１（ａ）に示す第１の実施態様の涙液メニスカス検査用具１を使用して、被験者の涙液量を測定した後の状態を示している。ここで、図１（ｂ）は、吸収部材２に設けられた溝４の幅または吸収部材２そのものの幅（以下、これらの幅を「スイートスポット」とよぶ。詳細には、スイートスポットとは、涙液に接する吸収部位の幅に相当する範囲をいう。）が、幅２ａのように狭い態様である場合を示している。一方、図１（ｃ）は、吸収部材２の幅２ｂが、図１（ｂ）の幅２ａよりも広い場合を示している。
ここで、図１（ｂ）と図１（ｃ）とを比較すると、吸収部材２の溝４の幅（スイートスポット）があまり広くなると、吸収材料そのものによる涙液の吸収量が増大するため、下眼瞼と眼球との間にある僅かな涙液量の正確な測定が困難となる場合がありうる。
そのため、スイートスポットの幅は、吸収部材２の親水性等により変化するところが大きいが、例えば、幅０．５〜２ｍｍ程度とすることが好ましい。また、被験者が涙液メニスカス検査用具１を保持しやすいように、涙液メニスカス検査用具１は、幅１〜５ｍｍ、厚さ０．１〜１ｍｍ以下、長さ５〜５０ｍｍ程度であり、涙液が涙液メニスカス検査用具１へと浸透する方向（通常、長さ方向）に沿ってそれを横切る向きの目盛が付されていることが好ましい。
また、図１（ｄ）には、吸収部材の幅は図１（ｂ）の幅２ａであるが、そのスイートスポットが図１（ｂ）よりも広くなっている涙液メニスカス検査用具も示す。図１（ｄ）の態様によれば、より短時間に涙液メニスカスを吸収して測定することができ、しかも滲み等による涙液量の測定誤差を低減することができる。
【００１６】
次に、吸収部材２に浸透した涙液が吸収部材２中を等方的に拡散することを防止するために、マスキング部材を設けた本発明の第２の実施態様に係る涙液メニスカス検査用具を図３に示す。ここで、図３（ａ）は、その先端部が半円形状に加工され、被験者の下眼瞼に接して涙液を吸収し、その先端部から若干離れた箇所に色素が添加された色素添加部３を有する吸収部材２からなり、この吸収部材２にはその長さ方向にわたってマスキング加工により形成されたマスキング部材５がある、使用前の涙液メニスカス検査用具１ａの状態を示している。ここで、吸収部材２にあるマスキング部材５は、涙液が浸透するのを防ぐものであり、吸収部材２よりも親水性が低い材料であることが好ましい。
なお、例えば、吸収部材２の側面部分に露出している孔穴を樹脂等により埋めることや、あるいは合成樹脂などの多孔質体の孔穴部を熱溶着等により消失させることも、ここでのマスキング部材５を施すことに含まれる。また、このマスキング部材５の幅を吸収部材２の先端部において狭くする（つまり、スイートスポット幅を広くする）ことにより、涙液メニスカスの吸収速度をさらに促進することもできる。
【００１７】
また、図３（ｂ）は、図３（ａ）に示す第２の実施態様の涙液メニスカス検査用具を使用して、被験者の涙液量を測定した後の状態を示している。ここで、図３（ｂ）は、吸収部材２そのものの幅（スイートスポット）が、例えば、図１（ｃ）の溝の幅２ｂと同じ場合であっても、マスキング部材５により吸収部材２からその周辺部へと涙液が浸透することがないため、涙液量が正確な測定できる点において有利である。つまり、図１に示す第１の実施態様と比較して、第２の実施態様では、スイートスポットの大きさについての制約が低減されている。
【００１８】
次に、吸収部材２に浸透した涙液が吸収部材２を等方的に拡散することを防止しつつ、涙液を速やかに測定することができるように、溝４とマスキング部材５との両方を設けた本発明の第３の実施態様に係る涙液メニスカス検査用具を図４に示す。ここで、図４（ａ）は、その先端部が半円形状に加工され、被験者の下眼瞼に接して涙液を吸収し、その先端から若干離れた箇所に色素が添加された色素添加部３を有し、その先端からの涙液が浸透する方向に向かって設けられた溝４とを有する吸収部材２と、この吸収部材２に接するマスキング部材５とを含む、使用前の涙液メニスカス検査用具１ｂの状態を示している。
なお、吸収部材２に接するマスキング部材５は、吸収部材２から涙液が浸透するのを防ぐために、吸収部材２よりも親水性が低い材料であることが好ましいことや、吸収部材２の側面部分に露出している孔穴を樹脂等により埋めることもここでのマスキング部材５を施すことに含まれること等は、第２の実施態様の場合と同様である。
【００１９】
また、図４（ｂ）は、図４（ａ）に示す第３の実施態様の涙液メニスカス検査用具１ｂを使用して、被験者の涙液量を測定した後の状態を示している。ここで、図４（ｂ）は、吸収部材２の溝４（スイートスポット）が、例えば、図１（ｃ）の溝の幅２ｂと同じ場合であっても、マスキング部材５により吸収部材２からその周辺部へと涙液が浸透することがないため、涙液量が正確に測定できる点において有利である。
さらに、毛細管現象によって、涙液が溝４へと吸引されるため、吸収部材２に固有の吸収速度または湿潤速度を超えて、涙液が溝４へと入り込むことができる。そのため、より速やかに正確に被験者の涙液量を測定することができる。
【００２０】
また、図５（ａ）は、上記の第３の実施態様の涙液メニスカス検査用具にフィルムを貼り付けた第４の実施態様の涙液メニスカス検査用具１ｃを示している。ここで、図５（ａ）の線Ｂ−Ｂで切断してこの涙液メニスカス検査用具１ｃの先端部を拡大したときの断面を図６に示している。ここで、吸収部材２の先端部にはフィルムが無く、吸収部材２が露出している。これは、この部分が被験者の下眼瞼に接して涙液を吸収できるようにするためである。また、図５（ｂ）は、図５（ａ）の涙液メニスカス検査用具１ｃを使用した後の状態を示している。ここで、図５（ｂ）では、吸収部材２の溝４に貼り付けられたフィルム６によって、吸収部材２に吸収された涙液の蒸発が防止されている。また、涙液メニスカス検査用具１ｃの先端を被験者の目に容易に接することができるようにするために、涙液メニスカス検査用具１ｃに折り目７を設けることができる。ここでは、涙液メニスカス検査用具１ｃの先端が、目盛りを施した側のフィルム６方向へと折り曲げられている態様が示されている。
【００２１】
なお、図４に示された第４の実施態様では、吸収部材２の両面にフィルム６を貼り付けた態様について説明している。しかしながら、本発明はこれに限らず、例えば、溝４のいずれか片面にフィルムを貼り付けられた態様であれば、フィルム６が貼り付けられた面からの涙液の蒸発等を防ぐことができるため、涙液量の測定精度の向上が期待できる。
【００２２】
また、溝４の開いている側の面にフィルム６を貼り付けることにより完全な管が形成されるので、より大きな涙液の吸引力が得られるという効果も期待することができる。そのため、片面にフィルム６を貼り付ける場合には、吸収部材２に設けられた溝４の開いている側の面に対してフィルム６を貼り付けることが好ましい。
【００２３】
なお、上記の第１から第４の実施態様において、涙液量を表す目盛は、吸収部材２、マスキング部材５、またはフィルム６のいずれかに付することができる。
【００２４】
次に、上記の第１から第４の実施態様の涙液メニスカス検査用具１〜１ｃの使用方法を説明する。本発明の涙液メニスカス検査用具１〜１ｃを用いた場合、被験者の下眼瞼に溜まっている涙液を涙液メニスカス検査用具１〜１ｃが速やかに吸収することができるので、涙液の測定時間は５秒〜１０秒程度という短時間で行われる。すなわち、被験者または測定者が涙液メニスカス検査用具１〜１ｃの先端部を被験者の下眼瞼に接するように保持して測定することができる。
そして、上記の５秒〜１０秒程度の時間が経過し、被験者の下眼瞼に溜まっていた涙液が涙液メニスカス検査用具１〜１ｃに吸収されると、例えば、マスキング部材５などに付された目盛を読み取り、被験者の下眼瞼上の涙液メニスカスを形成していた涙液量を測定することができる。そして、この測定結果に基づいて、被験者がドライアイであるかどうかの判断材料が提供される。このように、比較的に迅速かつ正確に涙液量を測定することができる。
【００２５】
図７に、角膜と下眼瞼との間に沿って涙液メニスカス（または涙三角ともよばれる）が形成されている様子を示す。この涙液メニスカスの涙液には、毛細管現象の原理により、涙液の表面張力に比例し、その曲率半径に反比例する陰圧が生じているため、その前縁には皮膚粘膜接合部とよばれる凹面が形成されている。
そして、角膜の上にはムチンなどの多糖類を多く含む粘液層があり、その上に涙液水層と脂質層が形成されている。そして、涙液水層はその下で涙液メニスカスにつながっている。この涙液メニスカス中の涙液や油脂の量がドライアイの病状と大きく関係しているが、その量は極めて少ないので測定が困難である。本発明の検査用具は、下眼瞼の上端であって、この涙液メニスカスに接する程度の位置にその先端を置くことにより、５秒という短時間で測定を行うことができる。このとき、検査用具の先端が角膜に触れる必要がないので、眼に刺激を与えることも少ない。また、５秒〜１０秒という短期間で検査することができるので、検査用具１〜１ｃはあえて頬に固定する必要はなく、手で保持しているか、簡単な保持具を利用するだけで十分である。
なお、５秒〜１０秒という短期間に涙液メニスカス量の測定が可能である点については、被験者の涙液メニスカスをフルオルセン染色し、本願の検査用具を涙液メニスカスに５秒間当てた後に光を当てたところ、染色液であるフルオルセンからの発光がみられなくなっているという実験結果に基づくものである。
【図面の簡単な説明】
【００２６】
【図１】（ａ）は、吸収部材２に溝４を設けた本発明の第１の実施態様の涙液メニスカス検査用具１の先端を示す平面概略図である。（ｂ）は、第１の実施態様の涙液メニスカス検査用具１であって、スイートスポットが狭いものを使用した後の状態を示す平面概略図である。（ｃ）は、第１の実施態様の涙液メニスカス検査用具１であって、スイートスポットが広いものを使用した後の状態を示す平面概略図である。（ｄ）は、第１の実施態様の涙液メニスカス検査用具１であって、図１（ｂ）の溝の幅２ａを有し、スイートスポットが広いものを使用した後の状態を示す平面概略図である。
【図２】図１（ａ）に示す線Ａ−Ａで本発明の第１の実施態様の涙液メニスカス検査用具１を切断したときの断面図である。
【図３】（ａ）は、吸収部材２の両側にマスキング部５を設けた第２の実施態様の涙液メニスカス検査用具１ａを示す平面概略図である。（ｂ）は、この第２の実施態様の涙液メニスカス検査用具１ａの使用後の状態を示す平面概略図である。
【図４】（ａ）は、本発明の第２の実施態様の涙液メニスカス検査用具に溝４を設けた第３の実施態様の涙液メニスカス検査用具１ｂを示す平面概略図である。（ｂ）は、この第３の実施態様の涙液メニスカス検査用具１ｂの使用後の状態を示す平面概略図である。
【図５】（ａ）は、本発明の第３の実施態様の涙液メニスカス検査用具１ｂの両面に防水フィルム６を設けた第４の実施態様の涙液メニスカス検査用具１ｃを示す平面概略図である。（ｂ）は、この第４の実施態様の涙液メニスカス検査用具１ｃの使用後の状態を示す平面概略図である。
【図６】図５（ａ）に示す線Ｂ−Ｂで本発明の第４の実施態様の涙液メニスカス検査用具１ｃを切断したときの断面図である。
【図７】涙液メニスカスの様子を示す斜視図である。
【符号の説明】
【００２７】
１、１ａ、１ｂ、１ｃ  涙液メニスカス検査用具
２、２ａ、２ｂ  吸収部材
３  色素添加部
４  溝
５  マスキング部
６  防水フィルム
７  折り目
【図１】
2005253700.tif 000003
【図２】
2005253700.tif 000004
【図３】
2005253700.tif 000005
【図４】
2005253700.tif 000006
【図５】
2005253700.tif 000007
【図６】
2005253700.tif 000008
【図７】
2005253700.tif 000009
【手続補正書】
【提出日】平成16年3月19日(2004.3.19)
【手続補正１】
【補正対象書類名】明細書
【補正対象項目名】０００８
【補正方法】変更
【補正の内容】
【０００８】
また、近年、下眼瞼と眼球との間にできる涙液のメニスカスにある涙液量と病理的症状との間の関係が注目されており、このメニスカス中の涙液量の測定が重視されつつある。しかし、このメニスカス中の涙液の量はせいぜい５μｌ程度であって少なく、測定が困難であるという問題がある。
現在利用できる高価な装置を用いたいずれの検査方法においても、医師が診断する際、スリット（細瞭灯顕微鏡）にて、涙液及び眼表面を観察しながら測定を行うもので、その場で、短時間に簡単に手でティアメニスカスの定量測定ができる検査用具は無かった。
【特許文献１】特許第３２５４３１１号公報